(57)【要約】【課題】従来と比較し、取扱性、利便性に優れたシャワーフックを提供すること。【解決手段】シャワーヘッド２を挿入する挿入孔１９を備え、挿入孔１９にシャワーヘッド２を挿入するとともに掛止して着脱可能に保持するヘッドホルダ部５と、ヘッドホルダ部５に一体に設けられ、シャワーバー３の任意の位置に、シャワーバー３を抱持して着脱可能に固定するためのバー取付固定部６とを備える。【選択図】図３
2020033811.tif 000002
【特許請求の範囲】
【請求項１】
シャワーヘッドを挿入する挿入孔を備え、前記挿入孔に前記シャワーヘッドを挿入するとともに掛止して着脱可能に保持するヘッドホルダ部と、
前記ヘッドホルダ部に一体に設けられ、シャワーバーの任意の位置に、前記シャワーバーを抱持して着脱可能に固定するためのバー取付固定部とを備えるシャワーフック。
【請求項２】
前記バー取付固定部が、横方向に延設された前記シャワーバーを抱持して着脱可能に取り付けるように構成されている請求項１記載のシャワーフック。
【請求項３】
前記バー取付固定部が、前記ヘッドホルダ部の後端側で上端側に接続して設けられ、横方向に延びる回動軸を有するヒンジと、
前記ヒンジによって前記回動軸周りに回動可能に設けられ、前記シャワーバーを上方から抱持するクランプ部材とを備えて構成されている請求項２記載のシャワーフック。
【請求項４】
前記ヘッドホルダ部と前記バー取付固定部の上面が滑らかに連続的に繋がる連続面として形成されている請求項２または請求項３に記載のシャワーフック。
【請求項５】
前記シャワーバーの上面が平面状に形成され、
前記シャワーバーに取り付けた状態で、前記ヘッドホルダ部及び前記バー取付固定部の上面が水平に配され、前記シャワーバーの上面と平行に配されるように構成されている請求項４記載のシャワーフック。
【請求項６】
前記クランプ部材を回動して前記シャワーバーを上方から抱持した状態で、前記クランプ部材の下端側を着脱可能に保持するロック機構を備える請求項３から請求項５のいずれか一項に記載のシャワーフック。
【請求項７】
前記シャワーバーの外周面の上面から背面と重なる部分の前記クランプ部材の外面が前記シャワーバーの外周面に沿うように形成されている請求項２から請求項６のいずれかに一項に記載のシャワーフック。
【発明の詳細な説明】
【技術分野】
【０００１】
本発明は、シャワーヘッドを着脱可能に保持するためのシャワーフックに関する。
【背景技術】
【０００２】
ユニットバスやシャワールームなどの浴室には、例えば、カウンター、収納棚、鏡、シャワー等の浴室用設備が設けられている。
【０００３】
また、シャワー設備としては、上端部及び下端部を壁面に接続して上下方向に延設されたシャワーバーにシャワーフックをスライド可能に取り付け、このシャワーフックにシャワーヘッドのホースジョイントを上方から嵌合／掛止させて保持できるように構成したものがある。
【０００４】
この浴室用設備、シャワー設備では、入浴者等の使用者がシャワーバーの上端部から下端部までの間でシャワーフックをスライド移動させ、任意の高さ位置に固定することができる。このため、使用者の身長の違いや使用時の姿勢などに柔軟に対応でき、固定式のシャワー設備と比較し、利便性に優れたシャワー設備を実現することができる。
【０００５】
一方、洗い場の壁面に固定して設けられたカウンターの水平の横方向に延びる先端部に、横方向に延びる嵌合溝を形成し、この嵌合溝にシャワーフックや洗面器置台を嵌合して支持させるように構成したものもある（例えば、特許文献１参照）。
【０００６】
この浴室用設備、シャワー設備では、シャワーフックや洗面器置台などを嵌合溝に沿って横方向にスライド移動したり、嵌合溝に対して着脱することにより、横方向の任意の位置に設置することができる。このため、使用者の姿勢や使い勝手など（座った使用者の肩に集中的にシャワーの湯水をかけるなど）に柔軟に対応することができ、やはり利便性に優れた浴室用設備を実現することができる。
【先行技術文献】
【特許文献】
【０００７】
【特許文献１】特開２０１１−１８３１１７号公報
【発明の概要】
【発明が解決しようとする課題】
【０００８】
しかしながら、上記のようにシャワーフックをシャワーバーや嵌合溝に支持させながらスライド移動させる場合には、スライドの移動距離が大きいほど、スライド操作がしにくくなるケースがあり、さらなる取扱性の改善、利便性の向上を図るための手法が強く求められていた。
【０００９】
ちなみに、カウンターの先端部などに横方向に延びる嵌合溝を設け、嵌合溝にシャワーフックなどを嵌合して任意の位置に設置できるように構成した場合には、嵌合溝に水垢などの汚れが溜まりやすく、また、嵌合溝内を清掃しにくいなどの不都合が生じる。このため、嵌合溝に水抜き孔を設けるなどの対策が必要となり、また、このような対策を講じたとしても嵌合溝内の汚れ、清掃のしにくさを解消することは難しい。
【００１０】
本発明は、上記事情に鑑み、従来と比較し、取扱性、利便性に優れたシャワーフックを提供することを目的とする。
【課題を解決するための手段】
【００１１】
本発明者は、従来と比較し、シャワーフックの取扱性、利便性を向上させる手段を見出し、本発明を完成するに至った。
【００１２】
（１）本発明のシャワーフックは、シャワーヘッドを挿入する挿入孔を備え、前記挿入孔に前記シャワーヘッドを挿入するとともに掛止して着脱可能に保持するヘッドホルダ部と、前記ヘッドホルダ部に一体に設けられ、シャワーバーの任意の位置に、前記シャワーバーを抱持して着脱可能に固定するためのバー取付固定部とを備えることを特徴とする。
【００１３】
（１）の発明においては、バー取付固定部によってシャワーバーを抱持してシャワーフックをシャワーバーに取り付け固定できるように構成したことで、従来と比較し、シャワーフックの着脱操作を容易にすることができる。また、従来の嵌合溝に嵌合させるものと比較し、水抜き孔を不要にでき、水垢などの汚れが付きにくくすることができ、さらに清掃を容易に行うことが可能になる。
【００１４】
（２）本発明のシャワーフックは、上記（１）において、前記バー取付固定部が、横方向に延設された前記シャワーバーを抱持して着脱可能に取り付けるように構成されていてもよい。
【００１５】
（２）の発明においては、横方向に延設されたシャワーバーに取り付けるように構成されるとともに、シャワーバーを抱持して取り付け固定するように構成されていることにより、例えば、手摺りなどをシャワーバーとして用いる（兼用する）ことが可能になる。
【００１６】
（３）本発明のシャワーフックは、上記（２）において、前記バー取付固定部が、前記ヘッドホルダ部の後端側で上端側に接続して設けられ、横方向に延びる回動軸を有するヒンジと、前記ヒンジによって前記回動軸周りに回動可能に設けられ、前記シャワーバーを上方から抱持するクランプ部材とを備えて構成されていてもよい。
【００１７】
（３）の発明においては、クランプ部材をヘッドホルダ部の上端側に接続して設けられたヒンジで横方向に延びる回動軸周りに回動可能に設けることによって、横方向に延設されたシャワーバーに対し上方からクランプ部材を被せるようにしてシャワーフックを任意の位置に取り付け固定することが可能になる。これにより、横方向に延びるシャワーバーに対するシャワーフックの着脱操作を非常に容易に行うことが可能になる。
【００１８】
（４）本発明のシャワーフックは、上記（２）、（３）において、前記ヘッドホルダ部と前記バー取付固定部の上面が滑らかに連続的に繋がる連続面として形成されていてもよい。
【００１９】
（４）の発明においては、横方向に延びるシャワーバーにシャワーフックを取り付けた状態で、入浴者等の視界に最も入りやすいヘッドホルダ部とバー取付固定部の上面が面一な平面状や曲面状など、滑らかに連続的に繋がる連続面として形成されていることで、シャワーフックの見栄えを非常に良くすることができる。また、水垢等で汚れやすいヘッドホルダ部とバー取付固定部の上面が滑らかに連続的に繋がる連続面として形成されていることで、清掃を容易に行うことも可能になる。さらに、手摺りなどをシャワーバーに兼用した場合には、入浴者などが手摺りを手で握って移動する際にシャワーフックの上面に凹凸がない（上面が連続面として形成されている）ことでシャワーフックが入浴者などの移動の邪魔になることを抑止できる。
【００２０】
（５）本発明のシャワーフックは、上記（４）において、前記シャワーバーの上面が平面状に形成され、前記シャワーバーに取り付けた状態で、前記ヘッドホルダ部及び前記バー取付固定部の上面が水平に配され、前記シャワーバーの上面と平行に配されるように構成されていてもよい。
【００２１】
（５）の発明においては、ヘッドホルダ部及びバー取付固定部の上面を平面状で面一に形成し、ヘッドホルダ部及びバー取付固定部の上面が水平に配されてシャワーバーの平面状に形成された上面と平行になるようにしたことで、例えば、バー取付固定部の上端側の肉厚を薄くするほど、シャワーバーとシャワーフックの一体性を演出することができ、シャワーフックの見栄えを大幅に良くすることができる。さらに、手摺りなどをシャワーバーに兼用した場合には、入浴者などが手摺りを手で握って移動する際にシャワーフックが入浴者などの移動の邪魔になることを抑止できる。
【００２２】
（６）本発明のシャワーフックは、上記（３）から（５）のいずれかにおいて、前記クランプ部材を回動して前記シャワーバーを上方から抱持した状態で、前記クランプ部材の下端側を着脱可能に保持するロック機構を備えてもよい。
【００２３】
（６）の発明においては、クランプ部材を着脱可能に保持するロック機構を備えることにより、ロック機構を操作してシャワーフックを容易に着脱することが可能になるとともに、シャワーフックをシャワーバーにガタツキなどが生じないように好適に取り付け固定することが可能になる。また、ロック機構が、入浴者等の視界に入りにくいクランプ部材の下端側に設けられることで、シャワーフックの見栄えを良くすることができる。
【００２４】
（７）本発明のシャワーフックは、上記（２）から（６）のいずれかにおいて、前記シャワーバーの外周面の上面から背面と重なる部分の前記クランプ部材の外面が前記シャワーバーの外周面に沿うように形成されていてもよい。
【００２５】
（７）の発明においては、シャワーバーの外周面の上面から背面と重なる部分のクランプ部材の外面がシャワーバーの外周面に沿うように形成されていることにより、シャワーバーとシャワーフックの一体性を演出することができ、シャワーフックの見栄えを大幅に良くすることができる。
【発明の効果】
【００２６】
本発明によれば、シャワーフックを容易に、所望の位置に移動させることができ、従来と比較し、シャワーフックの取扱性、利便性を大幅に向上させることが可能になる。
【図面の簡単な説明】
【００２７】
【図１】本発明の一実施形態に係る浴室、シャワーバーを示す平面図である。
【図２】本発明の一実施形態に係るシャワーフックをシャワーバーに取り付けた状態を示す斜視図である。
【図３】本発明の一実施形態に係るシャワーフックをシャワーバーに取り付けた状態を示す斜視図である。
【図４】本発明の一実施形態に係るシャワーバーを示す斜視図である。
【図５】本発明の一実施形態に係るシャワーフックでシャワーヘッドを保持した状態を示す断面図である。
【図６】図５のＸ１−Ｘ１線矢視図である。
【図７】本発明の一実施形態に係るシャワーフックを上方からシャワーバーの任意の位置に取り付ける状態を示す図である。
【図８】本発明の一実施形態に係るシャワーフックのクランプ部材を回動してシャワーバーを抱持ように配置した状態を示す図である。
【図９】本発明の一実施形態に係るシャワーフックのロック機構によってクランプ部材をロックしてシャワーバーを抱持ように取り付け固定した状態を示す図である。
【図１０】本発明の一実施形態に係るシャワーフックを示す分解斜視図である。
【図１１】本発明の一実施形態に係るシャワーフックを示す正面図である。
【図１２】図１１のＸ２−Ｘ２線矢視図である。
【図１３】図１１のＸ３−Ｘ３線矢視図である。
【図１４】図１１のＸ４−Ｘ４線矢視図である。
【図１５】図１１のＸ５−Ｘ５線矢視図である。
【図１６】本発明の一実施形態に係るシャワーフックのガタ締め凸部を示す図である。
【図１７】本発明の一実施形態に係るシャワーフックのロック機構を示す断面図であり、クランプ部材でシャワーバーを抱持する前の状態を示す図である。
【図１８】本発明の一実施形態に係るシャワーフックのロック機構を示す断面図であり、シャワーバーを被覆するようにクランプ部材を配置した状態を示す図である。
【図１９】本発明の一実施形態に係るシャワーフックのロック機構を示す断面図であり、クランプ部材をロックしてシャワーバーを抱持した状態を示す図である。
【図２０】本発明の一実施形態に係るシャワーフックのヘッド側グリップ機構、ホース保持機構を示す斜視図であり、シャワーヘッドを挿入孔に挿入する前の状態を示す図である。
【図２１】本発明の一実施形態に係るシャワーフックのヘッド側グリップ機構、ホース保持機構を示す斜視図であり、シャワーヘッドを挿入孔に挿入した状態を示す図である。
【図２２】本発明の一実施形態に係るシャワーフックのホース保持機構を示す斜視図であり、シャワーヘッドを挿入孔に挿入して保持する前の状態を示す図である。
【図２３】本発明の一実施形態に係るシャワーフックのホース保持機構を示す斜視図であり、シャワーヘッドを挿入孔に挿入してホースを保持した状態を示す図である。
【発明を実施するための形態】
【００２８】
以下、図１から図２３を参照し、本発明の一実施形態に係るシャワーフックについて説明する。
【００２９】
本実施形態のシャワーフックＡは、図１から図３に示すように、ユニットバス１やシャワールームなどの浴室に設けられ、シャワーヘッド２を着脱可能に保持するための部材である。
【００３０】
また、本実施形態では、シャワーフックＡが、例えば、ユニットバス１の壁（壁面１ａ）の浴槽１ｂ側から洗い場１ｃ側まで横方向Ｔ１に延びて設置された手摺り３に取り付け、手摺り３をシャワーバー（３）としても兼用できるように構成されている。
【００３１】
具体的に、本実施形態のシャワーバー（３）を兼ねた手摺り３は、例えば、浴室１の壁面１ａに後端を接続して壁面１ａに直交する水平の前後方向Ｔ２に突出し、壁面１ａに沿う水平の横方向Ｔ１に所定の間隔をあけて並設された複数のブラケット（支持部材）４の先端に接続して支持され、水平の横方向Ｔ１に延設されている。
なお、耐荷要求が高いほどブラケット４の数を多くする必要があり、このような場合にはブラケット４が干渉し、スライドだけでシャワーフックＡを所望の位置に配置することができなくなる。
【００３２】
手摺り３は、図３、図４に示すように、押出し成形などを用いて形成されたアルミニウム製の管状の棒材３ａの外周面を樹脂製の外装材３ｂで被覆し、さらに、横方向の一端部、他端部にそれぞれキャップ材３ｃを取り付け、所望の意匠性、防水性、撥水性等を備えて構成されている。
【００３３】
手摺り３は、図１に示すように、例えば、これを使用する入浴者（入浴者などの使用者）Ｍが手で握って浴室内を移動しやすくしたり、洗い場１ｃに座っている入浴者Ｍが握って立ち上がりやすくするために、浴室の床パネルから例えば８０ｃｍ程度の好適な高さ位置に配設されている。手摺り３は、入浴者Ｍ等が手で握りながら浴室出入り口側や浴槽１ｂ側、水栓などの洗い場設備側に円滑に移動できるように、すなわち、優れた利便性（及び意匠性）を確保するために、その高さ位置を一定にしつつ適宜箇所を湾曲形成するなどして構成されている。
【００３４】
ここで、本実施形態では、以下、「手摺り３」を「シャワーバー３」と称して説明を行う。
【００３５】
本実施形態のシャワーフックＡは、図３、図５、図６に示すように、シャワーヘッド２のホースジョイント２ａを掛止してシャワーヘッド２を着脱可能に保持するヘッドホルダ部５と、シャワーバー３を抱持してシャワーバー３の任意の位置に着脱可能に取り付けるためのバー取付固定部６とを備えて構成されている。
【００３６】
ヘッドホルダ部５は、図５、図６、図７から図１５に示すように、シャワーヘッド２のホースジョイント２ａを掛止してシャワーヘッド２を着脱可能に保持するフック本体７と、主に、フック本体７の一側面、他側面、上面、下面等の外表面の少なくとも一部を被覆してシャワーフックＡの意匠性を高めるための外装部材８と、フック本体７にホースジョイント２ａを嵌合して掛止させるとともに、シャワーヘッド２のホースジョイント２ａを押圧してこれを保持するヘッド側グリップ機構９と、ホースジョイント２ａから下方に延びるホース２ｂを保持するホース保持機構１０とを備えている。
【００３７】
バー取付固定部６は、ヘッドホルダ部５の後方に設けられるとともに、ヒンジ１１を介してシャワーフックＡの幅方向Ｔ１に延びる回動軸Ｏ１周りに回動自在に接続して設けられ、シャワーバー３の外周面を上方から覆うようにしてシャワーバー３を抱持、すなわち、クランプ保持するためのクランプ部材（カバー部材）１２と、クランプ部材１２とフック本体７にクランプ部材１２を接続するための連結部材１３と、シャワーバー３の外周面を抱持した状態でクランプ部材１２を固定して保持するためのロック機構１４と、シャワーバー３の外周面を被覆するようにクランプ部材１２を回動して配設するとともにシャワーバー３の外周面に当接し、シャワーバー３を押圧してクランプ部材１２を保持するバー側グリップ機構１５とを備えている。
【００３８】
フック本体７は、前後方向Ｔ２に所定の厚さを備えて形成された後壁部１６と、後壁部１６の幅方向Ｔ１の一側端部と他側端部とからそれぞれ、前後方向Ｔ２前方側に突出して並設された一対の側壁部１７とを備えて形成され、これら後壁部１６と一対の側壁部１７とが一部品（一部材）で構成されている。
【００３９】
後壁部１６は、上端側の背面側に、上面から下面側に凹み、一対の側面と背面とに開口する上側嵌合凹部１６ａが設けられ、下端側の背面側に、下面から上面側に凹み、一対の側面と背面とに開口する下側嵌合凹部１６ｂが設けられている。なお、上側嵌合凹部１６ａ、下側嵌合凹部１６ｂは、詳細を後述する外装部材８（や連結部材１３）が嵌合し、フック本体７と互いの表面（上面、下面、先端面）を滑らかで連続的に繋ぐように外装部材８及び連結部材１３を位置決めして取り付けるための凹部である。
【００４０】
後壁部１６の前面側（前面の少なくとも上部側）は、シャワーヘッド２のホースジョイント２ａが上方から挿入されてこれを保持する挿入孔１９を形成するため、ホースジョイント２ａの形状に合わせた断面円弧状（円弧面状）で、上面から下面に向かうに従いその曲率半径が小となるテーパー面状に形成されている。
【００４１】
さらに、後壁部１６には、背面にビス取付孔が複数設けられている。後壁部１６には、幅方向Ｔ１中央に、背面から内面（前面）に貫通し、下端側から上端側に延びるクリップレバー挿通孔１８が設けられている。後壁部１６には、幅方向Ｔ１中央を挟んで両側部側の対称位置に、背面から内面に貫通する一対のホースクリップ挿通孔２０が設けられている。後壁部１６の背面側には、幅方向Ｔ１に沿って一側面からクリップレバー挿通孔１８に、他側面からクリップレバー挿通孔１８にそれぞれ貫通し、且つ幅方向Ｔ１に沿う同軸上に設けられ、詳細を後述するクリップレバー４７を回動可能に支持するための回動軸２１を挿通、軸支する軸挿通孔２２が設けられている。
【００４２】
一対の側壁部１７はそれぞれ、先端部に幅方向Ｔ１内側に突出する掛止部２５を備えて形成され、各掛止部２５の後方側を向く内面が掛止面２５ａとされている。
【００４３】
そして、一対の側壁部１７の互いに対向する内面と、各掛止部２５の掛止面２５ａとが、後壁部１６の内面とともに、シャワーヘッド２のホースジョイント２ａが上方から挿入されてこれを保持するための挿入孔１９の内面を形成している。また、一対の側壁部１７の内面、一対の掛止面２５ａは、後壁部１６の内面と滑らかに繋がり、ホースジョイント２ａの形状に合わせた断面円弧状（円弧面状）で、上面から下面に向かうに従いその曲率半径が小となるテーパー面状に形成されている。
なお、本実施形態では、挿入孔１９を形成するフック本体７が後壁部１６と一対の側壁部１７を備えて断面略Ｃ字状を呈するように形成されているが、シャワーヘッド２を着脱可能に保持することが可能であれば、フック本体７（ひいては挿入孔１９）の形状は必ずしも断面略Ｃ字状に限定する必要はなく、例えば断面円形状の挿入孔１９を形成するなど、他の形状であってもよい。
【００４４】
さらに、本実施形態のシャワーヘッド２は、シャワーフックＡの挿入孔１９に挿入して保持される部分に段差部２ｃがある。これに応じ、フック本体７の左右一対の掛止部２５の下部側の掛止面２５ａは、シャワーヘッド２の段差部２ｃに係合する段差係合部２５ｂを備えて形成されている。
【００４５】
なお、本実施形態では、各側壁部１７が前方に向かうほどその下端が上方に傾斜し、その高さが小となるように形成され、各側壁部１７の先端面が前方に凸の円弧面状に形成されて、シャワーフックＡの意匠性の向上が図られている。
【００４６】
外装部材８は、フック本体７の後壁部１６に形成された上側嵌合凹部１６ａ、下側嵌合凹部１６ｂにそれぞれ嵌合してシャワーフックＡの上面２６、下面２７を形成する上側外装部８ａ、下側外装部８ｂと、上側外装部８ａ、下側外装部８ｂの幅方向Ｔ１両側部側からそれぞれ前方に延び、フック本体７の一対の側壁部１７の外側面を被覆するように一体に係合してシャワーフックＡの左右一対の側面２８を形成する一対の側壁外装部８ｃとを備えて形成されている。
【００４７】
上側外装部８ａ、下側外装部８ｂは、後壁部１６の上側嵌合凹部１６ａ、下側嵌合凹部１６ｂに嵌合してフック本体７に組み付けた状態で、上面、下面が後壁部１６の前面側の上面、下面とそれぞれ滑らかに連続的に繋がるようにし、シャワーフックＡの上面２６、下面２７を滑らかに連続的に繋がる連続面として形成する。また、一対の側壁外装部８ｃも、その上面がフック本体７の側壁部１７の上面と滑らかに連続的に繋がるようにし、シャワーフックＡの上面２６、下面２７を滑らかに連続的に繋がる連続面として形成する。すなわち、一対の側壁外装部８ｃは、側面視でフック本体７の側壁部１７と互いの外周が略重なる略同一の側面視形状で形成されている。
【００４８】
連結部材１３は、フック本体７の背面に前面を重ねるように配設され、背面から前面に貫通形成された複数のネジ挿通孔１３ａにタッピングネジ（ビス）２９を挿通するとともに、フック本体７の後壁部１６のネジ孔に螺着することにより、フック本体７に一体に接続される。
【００４９】
連結部材１３には、幅方向Ｔ１中央に、内面から背面に貫通するグリップ保持孔３０が設けられている。
【００５０】
連結部材１３は、その背面がシャワーバー３の前方側の外周面に沿うように、シャワーバー３の外周面の形状に合わせた凹面状に形成されている。
【００５１】
連結部材１３には、上端側に、フック本体７の背面に前面を重ねるように配設するとともに、外装部材８の上側外装部８ａとフック本体７の後壁部１６の上側嵌合凹部１６ａの上面との間に嵌合する略平板状の嵌合凸部１３ｂが前面から前方に突出して設けられている。
【００５２】
連結部材１３には、上端側の背面側で且つ幅方向Ｔ１中央に、幅方向Ｔ１に沿ってピン挿通孔が貫通形成され、ヒンジ１１の構成要素である軸筒１１ａが一体に設けられている。
【００５３】
連結部材１３には、背面側の下端部に、略円筒の略半割形状を呈し、下面から上下方向Ｔ３の下方に突出して形成され、詳細を後述するロック機構１４の構成要素である一方のロック受け片３２ａが一体に設けられている。
【００５４】
連結部材１３には、嵌合凸部１３ｂの上方の上端部と、左右の側部と、一方のロック受け片３２ａの上方の下端部との外周縁部に、前方を向き、フック本体７に連結部材１３を接続した状態で外装部材８の後端が当接して外装部材８を保持する外装部材当接保持面（外装部材当接保持部）１３ｃが設けられている。
【００５５】
連結部材１３には、図１６に示すように、その背面の幅方向Ｔ１両側に、背面から外側に突出するとともに側端部に沿って延び、シャワーバー３を抱持する所定位置に配した状態でシャワーバー３の前方側の外周面に当接してこれをガタツキなく保持するための一対のガタ締め凸部３３が設けられている。ガタ締め凸部３３は、高曲率のコーナー部分が高摩擦係数、高グリップ性能を備えるように、例えば、多段状（略鋸歯状）に形成されている。なお、コーナー部分は、例えば、ゴム材やエラストマー樹脂材などを用いたり、表面を縦縞や横縞、斜め縞、突点状などとして形成するなど、適宜手段で表面の摩擦係数が大きくなるようにしてもよい。
【００５６】
次に、図５、図６、図７から図１５に示すように、クランプ部材１２は、上端側の幅方向Ｔ１一側部側と他側部側にそれぞれ、幅方向Ｔ１に沿ってピン挿通孔が貫通形成されたヒンジ１１の構成要素である軸筒１１ｂが一体に設けられている。
【００５７】
クランプ部材１２は、左右一対の軸筒１１ｂを連結部材１３の軸筒１１ａと同軸上に配されるように組み付け、互いに連通したピン挿通孔にヒンジ１１の構成要素のピン１１ｃを挿通し、必要に応じてピン１１ｃの端部をかしめるなどして、連結部材１３ひいてはフック本体７に対し、上端側の幅方向Ｔ１に延びるピン１１ｃの軸線Ｏ１周りに回動自在に連結されている。
【００５８】
クランプ部材１２は、内面がシャワーバー３の後方側（浴室１の壁面１ａ側）を向く外周面に沿うように、シャワーバー３の外周面の形状に合わせた凹面状に形成されている。また、クランプ部材１２は、背面の外面がシャワーバー３の後方側を向く外周面に沿うように、シャワーバー３の外周面の形状に合わせた凸面状に形成されている。
【００５９】
図１６に示すように、クランプ部材１２の内面には、その幅方向Ｔ１両側に、内面から内側に突出するとともに側端部に沿って延び、シャワーバー３を抱持する所定位置に配した状態でシャワーバー３の後方側の外周面に当接してこれをガタツキなく保持するためのガタ締め凸部３４が設けられている。ガタ締め凸部３４は、高曲率のコーナー部分が高摩擦係数、高グリップ性能を備えるように、例えば多段状（略鋸歯状）に形成されている。
【００６０】
図５、図６、図７から図１５に示すように、クランプ部材１２には、その下端部側に、略円筒の略半割形状を呈し、クランプ部材１２の下面から上下方向Ｔ３の下方に突出するロック機構１４の構成要素の他方のロック受け片３２ｂが一体に設けられている。
【００６１】
この他方のロック受け片３２ｂは、図１７から図１９に示すように、クランプ部材１２を回動させて下方に移動すると、連結部材１３に設けられた一方のロック受け片３２ａと互いの端部同士が突き合わされ、一方のロック受け片３２ａとともに中心に断面円形の挿通孔が貫通し、略円筒状を呈するロック機構１４のロック受け部３２を形成する。
【００６２】
ここで、一方のロック受け片３２ａと他方のロック受け片３２ｂにはそれぞれ、外周面から軸線Ｏ２を中心とした径方向外側に突出し、例えば周方向に沿い、周方向の９０度範囲に延びる受け側係止片３２ｃが設けられている。一方のロック受け片３２ａと他方のロック受け片３２ｂを突き合せてロック受け部３２を形成した状態で、周方向に等間隔で２つの受け側係止片３２ｃが軸線Ｏ２方向の同じ高さ位置に配されるようになっている。
【００６３】
本実施形態のロック機構１４は、上記の一方のロック受け片３２ａ及び他方のロック受け片３２ｂと、一方のロック受け片３２ａと他方のロック受け片３２ｂを連結固定するためのロック操作部材４０とを備えて構成されている。
【００６４】
ロック操作部材４０は、図５、図６、図７から図１５、図１７から図１９に示すように、操作つまみ部４１と、バー押え部４２とを備えている。
【００６５】
操作つまみ部４１は、円環状（円筒状）の側壁４１ａと、側壁４１ａの下方の開口を閉塞する底板４１ｂとを備えて略椀状で略キャップ状に形成されている。操作つまみ部４１の底板４１ｂには、その中心に貫通孔が貫通形成されている。
【００６６】
操作つまみ部４１には、側壁４１ａの内面から径方向内側に突出し、周方向に延びるつまみ側係止片４１ｃが等間隔で２つ設けられている。これら２つのつまみ側係止片４１ｃは、軸線Ｏ３方向の同位置に配設されている。
【００６７】
さらに、操作つまみ部４１には、外面から径方向外側に突出し、一方のロック受け片３２ａと他方のロック受け片３２ｂをロック（連結固定）、ロック解除する際に、入浴者Ｍ等が指を掛けて操作つまみ部４１を軸線Ｏ３周りに正逆回転操作するための指掛かり部４１ｄが設けられている。
なお、指掛かり部４１ｄは１８０度対向する位置に２つあってもよい（図示無）。このように構成すると、入浴者Ｍ等の使用者の操作性の向上が図れる。また、荷重が分散され、軽い回転力でロック操作部材４０（操作つまみ部４１）を回転させることができる。さらに、ロック操作部材４０を取り外して清掃を行い、再度組み付ける時に１８０度対称位置に２つの指掛かり部４１ｄがあることで取付方向の制約を無くす（小さくする）ことができる。さらに、指掛かり部４１ｄがどこに位置していても少なくともどちらか一方の指掛かり部４１ｄが入浴者Ｍ等に見えるようにできるなどの多くの作用効果を得ることができる。
【００６８】
バー押え部４２は、操作つまみ部４１の底板４１ｂの中心に下端を一体に接続し、軸線Ｏ３中心に上方に突設された略円筒状の突体４２ａを備えている。突体４２ａは、内面に雌ネジの螺刻が施され、その内孔が雌ネジ孔として形成されている。突体４２ａは、突出方向先端から下方に軸線Ｏ３に沿って延び、周方向に等間隔で配された複数のスリット４２ｂを備えて形成されている。
【００６９】
バー押え部４２は、突体４２ａとともに、外周面に雄ネジの螺刻が施された調整ネジ４２ｃと、調整ネジ４２ｃの先端部に取り付けられるゴム材（パッキン材）などの弾性体４２ｄとを備えて構成されている。
【００７０】
調整ネジ４２ｃは、その先端部に弾性体４２ｄを取り付けた状態で、操作つまみ部４１の底板４１ｂに開口する突体４２ａの雌ネジ孔に下方から螺合し、突体４２ａと互いの軸線Ｏ３を同軸上に配して着脱可能に設けられている。すなわち、バー押え部４２は、調整ネジ４２ｃを正逆軸線Ｏ３周りに回転させて螺入、螺出させることにより、突体４２ａの先端から弾性体４２ｄが軸線Ｏ３方向外側、内側に出没可能に構成されている。
【００７１】
ロック操作部材４０は、連結部材１３の一方のロック受け片３２ａの半円状の内面側に、バー押え部４２の突体４２ａを同軸（略同軸）上に配し、適宜手段によって、連結部材１３の一方のロック受け片３２ａに回転可能に取り付けられている。このとき、ロック操作部材４０は、所定量、上下方向Ｔ３に移動可能に取り付けられ、ロック解除状態では、このロック操作部材４０が最下方に配されるようになっている。
【００７２】
上記の適宜手段としては、例えば、複数のスリット４２ｂによって形成された突体４２ａの複数の突片４２ｅの先端に径方向外側に突出する係止部４２ｆを備え、係止部４２ｆが一方のロック受け片３２ａの突部３２ｄに最下方位置で引っ掛かるように構成することが挙げられる。このように構成すれば、ロック操作部材４０を、連結部材１３の一方のロック受け片３２ａに回転可能に、且つ上下方向Ｔ３に移動可能に取り付けることができる。
【００７３】
そして、本実施形態のシャワーフックＡ、ロック機構１４においては、図５、図７から図９、図１０、図１７から図１９に示すように、クランプ部材１２を上方からシャワーバー３を連結部材１３との間で挟み込むように回動し、シャワーバー３を連結部材１３とクランプ部材１２とで抱持する。このとき、係止部４２ｆが一方のロック受け片３２ａの突部３２ｄに最下方位置で引っ掛かり、ロック操作部材４０が最下方に配されていることで、クランプ部材１２の他方のロック受け片３２ｂがロック操作部材４０に干渉することなく、好適にクランプ部材１２を回動操作して、連結部材１３に設けられた一方のロック受け片３２ａとクランプ部材１２に設けられた他方のロック受け片３２ｂを突き合わせ、ロック受け部３２を形成することができる。この状態で、ロック受け部３２の内孔に挿入した形で突体４２ａが配置される。
【００７４】
次に、入浴者Ｍ等の使用者が、一方のロック受け片３２ａと他方のロック受け片３２ｂに設けられた隣り合う受け側係止片３２ｃの間の隙間をつまみ側係止片４１ｃが通るようにして、ロック操作部材４０を上方に押し上げ、指掛かり部４１ｄを指で押してロック操作部材４０の操作つまみ部４１を軸線Ｏ２、Ｏ３周りに回転させ、受け側係止片３２ｃの上につまみ側係止片４１ｃを配置する。
【００７５】
このようにロック操作部材４０を押し上げ、回転させることによって、ロック操作部材４０から手を放した状態で受け側係止片３２ｃにつまみ側係止片４１ｃが上下に重なって係合し、ロック機構１４によって、一方のロック受け片３２ａと他方のロック受け片３２ｂを突き合わせロック受け部３２を形成した状態、すなわち、シャワーバー３を抱持した状態でロック（連結保持）することができる。
【００７６】
これにより、本実施形態のシャワーフックＡ、ロック機構１４によれば、入浴者Ｍ等の使用者がクランプ部材１２を回動してシャワーバー３の任意の位置の外周面を覆ってシャワーバー３を連結部材１３とクランプ部材１２の間で抱持するようにシャワーフックＡを配置し、操作つまみ部４１をつまんで正逆回転させるという簡易な操作によって、シャワーフックＡをシャワーバー３の任意の位置に固定して保持することができる。また、入浴者Ｍ等の使用者が操作つまみ部４１を正逆回転させる回転量に応じてロック状態にしたり、ロック解除、すなわち、任意の位置へのシャワーフックＡの取り付け、取り外しを容易に行うことができる。
【００７７】
また、クランプ部材１２を回動させ、シャワーバー３の外周面を覆うように配置した状態で、連結部材１３の背面及びクランプ部材１２の内面に突設されたガタ締め凸部３３、３４、特に各ガタ締め凸部３３、３４のコーナーの高摩擦係数部（グリップ部）がシャワーバー３の外周面に当接し、シャワーフックＡをシャワーバー３にガタツキなく取り付けることができる（図１６）。
【００７８】
さらに、クランプ部材１２を回動させ、シャワーバー３の外周面を覆うように配置し、ロック操作部材４０を押し上げた状態、また、ロック操作部材４０を回転操作してシャワーバー３をロックした状態で、調整ネジ４２ｃの先端に取り付けられたゴム材などの弾性体４２ｄがシャワーバー３の外周面に当接する。よって、この弾性体４２ｄによっても、シャワーフックＡをシャワーバー３にしっかりと取り付けることができる。
【００７９】
また、このとき、調整ネジ４２ｃの螺入量を調整することによって、弾性体４２ｄの先端面の位置、ひいては弾性体４２ｄのシャワーバー３への当接量（押圧量）を調整することができ、確実で好適にシャワーフックＡをシャワーバー３にしっかりと取り付けることができる。
【００８０】
なお、弾性体４２ｄの突出量を予めシャワーバー３に応じて調整しておくことが好ましい。すなわち、基本的には、調整が必要になったときのみ、調整ネジ４２ｃの螺入、螺出操作を行うことが好ましい。
【００８１】
また、複数の突片４２ｅで囲まれた雌ネジ孔の内部に弾性体４２ｄが配されていることによって、突体４２ａの各突片４２ｅが径方向内側に変形（塑性変形）することを防止できる。これにより、係止部４２ｆが一方のロック受け片３２ａの突部３２ｄに最下方位置で引っ掛からなくなって、ロック操作部材４０が脱落することを防止できる。
【００８２】
さらに、本実施形態のシャワーフックＡにおいては、その上面２６が平面状に形成されているため、上記のようにシャワーバー３の任意の位置に取り付けた状態で、上面２６がシャワーバー３の軸線に沿い、非常に見栄えを良くすることができる。また、ヒンジ１１や連結部材１３の上端側の肉厚を薄くするほど、シャワーバー３の上方の外周面とシャワーフックＡの上面２６との間の段差がなくなり、シャワーフックＡのシャワーバー３に対する一体性を得ることができ、この点からも非常に意匠性に優れたシャワーフックＡを実現することが可能になる。
【００８３】
ここで、本実施形態のシャワーフックＡのバー側グリップ機構１５は、図５、図６、図７から図９、図１０から図１３、図１５、図２０、図２１に示すように、連結部材１３の背面側からグリップ保持孔３０に嵌合して設けられるゴム材などのグリップ部材（フックパッキン）４６を備えて構成されている。
【００８４】
また、グリップ部材４６は、所定量、連結部材１３の背面から突出するように設けられている。なお、グリップ保持部材４５の背面にグリップ部材４６を一体に取り付け、グリップ保持部材４５をグリップ保持孔３０に嵌合させてグリップ部材４６を取り付けるようにしてもよい。
【００８５】
これにより、本実施形態のシャワーフックＡにおいては、クランプ部材１２を回動させ、シャワーバー３の外周面を覆うように配置した状態で、バー側グリップ機構１５のグリップ部材４６がシャワーバー３の外周面に当接してこれを押圧する。よって、さらに好適にシャワーフックＡをガタツキなくしっかりと取り付けることができる。
【００８６】
上記のようにしてシャワーバー３の任意の位置に取り付けたシャワーフックＡにシャワーヘッド２を保持させる際には、フック本体７の挿入孔１９に上方からホースジョイント２ａ、ホース２ｂを差し込み、フック本体７の後壁部１６及び一対の側壁部１７に嵌合させる。
【００８７】
このとき、本実施形態のシャワーフックＡにおいては、後壁部１６の上部側と一対の側壁部１７のそれぞれの掛止部２５の下部側の後方上部側１点、前方下部側２点の計３点で挿入孔１９に挿入したシャワーヘッド２が掛止して保持される。これにより、湯水を吐出した際の反力を前記３点で効果的に受けることができる。
【００８８】
また、後壁部１６の円弧面状に形成された上部側の前面（円弧面）に、シャワーヘッド２が周方向に面接触あるいは線接触する。これにより、点接触する場合よりもさらに効果的に、湯水を吐出した際の反力を受けることができる。
【００８９】
また、シャワーヘッド２の段差部２ｃと一対の側壁部１７の掛止部２５の段差係合部２５ｂとが係合し、シャワーヘッド２の段差部２ｃと各掛止部２５の段差係合部２５ｂの左右２点の係合によって、シャワーヘッド２の前方下部側が保持される。これにより、さらに効果的に、湯水を吐出した際の反力を受けることができる。
【００９０】
さらに、本実施形態のシャワーフックＡにおいては、フック本体７の挿入孔１９にホースジョイント２ａの後方側で上部側の幅方向Ｔ１中央部分の外面がばね部材４９の付勢力を受けたクリップレバー４７の上端側のグリップ部材４８で前方に押圧されて支持され、ホースジョイント２ａの前面側で且つ幅方向Ｔ１両側部側が一対の掛止部２５の掛止面２５ａに押圧されて支持される。
【００９１】
なお、一対の掛止部２５の掛止面２５ａ（本実施形態では前方両側部側の下部）に、グリップ部材４８と同様の部材を設け、この部分の摩擦係数を大きくするように構成してもよい。
【００９２】
これにより、本実施形態のシャワーフックＡにおいては、保持した状態のシャワーヘッド２から湯水を吐出し、その反力が作用した場合であっても、シャワーヘッド２を強固にしっかりと保持することができ、シャワーヘッド２がシャワーフックＡから引き抜けるなどの不都合を確実に且つ好適に防止することができる。
【００９３】
次に、本実施形態のヘッド側グリップ機構９は、フック本体７の後壁部１６に設けられたクリップレバー挿通孔１８内に配されるとともに、軸挿通孔２２に挿通して軸支された回動軸２１に上下方向略中央部分を支持されて回動自在に設けられたクリップレバー４７と、クリップレバー４７の上端側の前面に一体に取り付けられたグリップ部材（フックパッキン）４８と、クリップレバー４７の上端側の背面に一端を接続して設けられ、クリップレバー４７の上端側を前方に付勢するばね部材４９とを備えて構成されている。
【００９４】
なお、上記のグリップ部材４６、４８は、例えば、ゴム材やエラストマー樹脂材などを用いたり、表面を縦縞や横縞、斜め縞、突点状などとして形成するなどして、表面の摩擦係数が大きくなるようにしている。
【００９５】
また、クリップレバー４７は、上端部の前面に、上端から下端側に向かうに従い漸次前方に向けて傾斜する傾斜面４７ａが設けられ、この傾斜面４７ａが誘導面とされている。
【００９６】
ヘッド側グリップ機構９では、フック本体７の挿入孔１９に、上方からシャワーヘッド２のホースジョイント２ａを挿入する際に、ホースジョイント２ａがグリップ部材に当接してクリップレバー４７の上端側が後方に押圧されるとともに、クリップレバー４７が回動軸２１の軸線Ｏ４周りに自動的に回動する。
【００９７】
このとき、まず、クリップレバー４７の上端部に傾斜面４７ａが設けられていることにより、上方からシャワーヘッド２のホースジョイント２ａを挿入した際に、傾斜面４７ａにホースジョイント２ａの下端が当たり、ホースジョイント２ａが下方に差し込まれるとともに傾斜面４７ａが誘導面として機能して好適にクリップレバー４７を回動させることができる。
【００９８】
さらに、このとき、クリップレバー４７の回動に抵抗するようにばね部材４９の付勢力がクリップレバー４７に作用する。これにより、フック本体７の挿入孔１９にホースジョイント２ａを挿入してシャワーヘッド２を保持した状態で、ばね部材４９の付勢力によってクリップレバー４７に取り付けられたグリップ部材４８がホースジョイント２ａの後方側の外面、さらにこの後方側で上部側の外面を前方に押圧して支持し、シャワーヘッド２をフック本体７の挿入孔１９内でしっかりと保持することができる。
【００９９】
また、フック本体７の挿入孔１９にホースジョイント２ａを挿入するとともに、フック本体７の一対の側壁部１７の先端に設けられた掛止部２５の掛止面２５ａが当接する。本実施形態では、例えば、掛止面２５ａの下方側が強く当接するように構成している。
【０１００】
これにより、フック本体７の挿入孔１９に挿入したシャワーヘッド２のホースジョイント２ａに、後方からばね部材４９の付勢力がクリップレバー４７（グリップ部材４８）を介して伝わり、ホースジョイント２ａが前方に向けて押圧されるとともに、フック本体７の一対の側壁部１７の先端に設けられた一対の掛止部２５の掛止面２５ａにホースジョイント２ａの前方側が強く押圧され、ホースジョイント２ａをしっかりと保持することが可能になる。
【０１０１】
さらに、本実施形態のシャワーフックＡにおいては、フック本体７の挿入孔１９にホースジョイント２ａの後方側で上部側の幅方向Ｔ１中央部分の外面がばね部材４９の付勢力を受けたクリップレバー４７の上端側のグリップ部材４８で前方に押圧されて支持され、ホースジョイント２ａの前面側で且つ幅方向Ｔ１両側部側が一対の掛止部２５の掛止面２５ａに押圧されて支持される。すなわち、これら後方上部の１点と、前方両側部側（本実施形態では前方両側部側の下部）の２点の前後３点でシャワーヘッド２のホースジョイント２ａが支持される。
【０１０２】
なお、一対の掛止部２５の掛止面２５ａ（本実施形態では前方両側部側の下部）に、グリップ部材４８と同様の部材を設け、この部分の摩擦係数を大きくするように構成してもよい。
【０１０３】
これにより、本実施形態のシャワーフックＡにおいては、保持した状態のシャワーヘッド２から湯水を吐出し、その反力が作用した場合であっても、シャワーヘッド２を強固にしっかりと保持することができ、シャワーヘッド２がシャワーフックＡから引き抜けるなどの不都合を確実に且つ好適に防止することができる。
【０１０４】
また、シャワーフックＡからシャワーヘッド２を取り外すとともに、ばね部材４９の付勢力によって自動的にクリップレバー４７が回動し、自動的にシャワーヘッド２を保持した状態から初期姿勢の状態に戻すことができる。
【０１０５】
次に、ホース保持機構１０は、一部の構成要素をヘッド側グリップ機構９と兼用して構成されている。
具体的に、本実施形態のホース保持機構１０は、図５、図６、図１０から図１３、図１５、図２０から図２３に示すように、クリップレバー４７と、フック本体７の後壁部１６に設けられた左右一対のホースクリップ挿通孔２０と、左右一対のホースクリップ挿通孔２０にそれぞれ進退自在に挿入配置され、クリップレバー４７の正逆回動に応じて前後方向Ｔ２に進退するクリップレバー４７の下端部に押圧されて前後に従動する左右一対のホースクリップ５０とを備えて構成されている。
【０１０６】
また、各ホースクリップ挿通孔２０には内面の所定位置にクリップ誘導凸部２０ａが設けられている。さらに、各ホースクリップ５０には、所定量進出するとともにクリップ誘導凸部２０ａに当接して、左右一対のホースクリップ５０の先端部同士が離間距離Ｌを所定の離間距離となるまで近づくように誘導するクリップ当接誘導部５０ａが設けられている。
【０１０７】
このように構成したホース保持機構１０においては、フック本体７の挿入孔１９に、上方からシャワーヘッド２のホースジョイント２ａを挿入し、クリップレバー４７が回動し、クリップレバー４７の下端部が前方に移動すると、クリップレバー４７の下端側に押圧されて従動し、左右一対のホースクリップ５０が同期した形でフック本体７の挿入孔１９内に進出して突出する。
【０１０８】
突出した一対のホースクリップ５０と、フック本体７の内面で囲まれた部分にホースジョイント２ａに繋がる下方のホース２ｂが囲繞される。また、シャワーヘッド２のホースジョイント２ａをフック本体７の挿入孔１９に完全に挿入して保持させると、ホース保持機構１０の一対のホースクリップ５０の先端部の間の離間距離Ｌ（Ｌ２）がホース２ｂの太さよりも小さくなり、ホース２ｂが一対のホースクリップ５０の先端部の間から抜けなくなる。
【０１０９】
これにより、本実施形態のシャワーフックＡにおいては、シャワーヘッド２を保持するとともに、自動的にシャワーヘッド２に接続したホース２ｂを保持することができる。よって、フック本体７、ヘッド側グリップ機構９だけでなく（グリップ機構９とは別に）、ホース保持機構１０によってホース２ｂが保持される。よって、保持した状態のシャワーヘッド２から湯水を吐出し、その反力が作用した場合であっても、さらにシャワーヘッド２を強固にしっかりと保持することができ、シャワーヘッド２が引き抜けるなどの不都合をより確実に且つ好適に防止することが可能になる。
【０１１０】
また、シャワーフックＡからシャワーヘッド２を取り外すとともに、ばね部材４９の付勢力によって自動的にクリップレバー４７が回動し、一対のホースクリップ５０を後退させ、元の位置に戻し、ホース２ｂの保持状態を自動的に解除することができる。
【０１１１】
したがって、上記構成からなる本実施形態のシャワーフックＡにおいては、まず、バー取付固定部６によってシャワーバー３を抱持してシャワーフックＡをシャワーバー３に取り付け固定できるように構成したことで、従来と比較し、シャワーフックＡの着脱操作を容易にすることができる。また、従来の嵌合溝に嵌合させるものと比較し、水抜き孔を不要にでき、水垢などの汚れが付きにくくすることができ、さらに清掃を容易に行うことが可能になる。
【０１１２】
また、シャワーフックＡが横方向Ｔ１に延設されたシャワーバー３に取り付けるように構成されるとともに、シャワーバー３を抱持して取り付け固定するように構成されていることにより、例えば、手摺りなどをシャワーバー３として用いる（兼用する）ことが可能になる。
【０１１３】
さらに、バー取付固定部６が、クランプ部材１２をヘッドホルダ部５の上端側に接続して設けられたヒンジ１１で横方向Ｔ１に延びる回動軸Ｏ１周りに回動可能に設けることによって、横方向Ｔ１に延設されたシャワーバー３に対し上方からクランプ部材１２を被せるようにしてシャワーフックＡを任意の位置に取り付け固定することが可能になる。これにより、横方向Ｔ１に延びるシャワーバー３に対するシャワーフックＡの着脱操作を非常に容易に行うことが可能になる。
【０１１４】
また、横方向Ｔ１に延びるシャワーバー３にシャワーフックＡを取り付けた状態で、入浴者Ｍ等の視界に最も入りやすいヘッドホルダ部５とバー取付固定部６の上面２６が滑らかに連続的に繋がる連続面として形成されていることで、シャワーフックＡの見栄えを非常に良くすることができる。また、水垢等で汚れやすいヘッドホルダ部５とバー取付固定部６の上面２６が滑らかに連続的に繋がる連続面として形成されていることで、清掃を容易に行うことも可能になる。さらに、手摺りなどをシャワーバー３に兼用した場合には、入浴者Ｍなどが手摺り３を手で握って移動する際にシャワーフックＡの上面２６に凹凸がないことでシャワーフックＡが入浴者Ｍなどの移動の邪魔になることを抑止できる。
【０１１５】
さらに、ヘッドホルダ部５及びバー取付固定部６の上面２６を平面状で面一に形成し、ヘッドホルダ部５及びバー取付固定部６の上面２６が水平に配されてシャワーバー３の平面状に形成された上面と平行になるようにしたことで、例えば、バー取付固定部６の上端側の肉厚を薄くするほど、シャワーバー３とシャワーフックＡの一体性を演出することができ、シャワーフックＡの見栄えを大幅に良くすることができる。また、このように構成することによって、入浴者などが手摺り３を手で握って移動する際にシャワーフックＡが移動の邪魔になることをより確実に抑止できる。
【０１１６】
また、クランプ部材１２を着脱可能に保持するロック機構１４を備えることにより、ロック機構１４を操作してシャワーフックＡを容易に着脱することが可能になるとともに、シャワーフックＡをシャワーバー３にガタツキなどが生じないように好適に取り付け固定することが可能になる。また、ロック機構１４が、入浴者Ｍ等の視界に入りにくいクランプ部材１２の下端側に設けられることで、シャワーフックＡの見栄えを良くすることができる。
【０１１７】
さらに、シャワーバー３の外周面の上面から背面と重なる部分のクランプ部材１２の外面がシャワーバー３の外周面に沿うように形成されていることにより、シャワーバー３とシャワーフックＡの一体性を演出することができ、シャワーフックＡの見栄えを大幅に良くすることができる。
【０１１８】
よって、本実施形態のシャワーフックＡによれば、シャワーフックＡを容易に、所望の位置に移動させることができ、従来と比較し、シャワーフックＡの取扱性、利便性、意匠性を大幅に向上させることが可能になる。
【０１１９】
以上、本発明に係るシャワーフックの一実施形態について説明したが、本発明は上記の一実施形態に限定されるものではなく、その趣旨を逸脱しない範囲で適宜変更可能である。
【０１２０】
例えば、本実施形態では、水平の横方向に延設された手摺り３をシャワーバーとして兼用し、この手摺り３に本発明に係るシャワーフックＡを取り付けるものとして説明を行った。これに対し、本発明に係るシャワーフックＡは、水平の横方向Ｔ１、斜め方向、鉛直の上下方向Ｔ３に延びるシャワーバー３、さらにこれら各延設方向を組み合わせて構成されたシャワーバー３に取り付けて用いても勿論構わない。また、必ずしもシャワーフックＡを取り付けるシャワーバー３は手摺りを兼ねたものでなくてもよい。
【０１２１】
また、本実施形態のシャワーフックＡは、ロックを解除し、シャワーバー３上をスライドさせて所望の位置に移動させ、再度ロックすることによって、任意の位置にシャワーフックＡを配置して使用することも可能である。
【０１２２】
ちなみに、例えば、上下方向Ｔ３に延びるシャワーバー３に本発明に係るシャワーフックＡを取り付ける場合には、ヒンジ１１の軸線Ｏ１が上下方向Ｔ３に配されるようにヘッドホルダ部５に対してバー取付固定部６を９０度相対的に変位（回転移動）させた形でシャワーフックＡを構成すればよい。この場合においても、本実施形態と同様の作用効果を得ることが可能である。
【０１２３】
また、予め、ヘッドホルダ部５に対してバー取付固定部６を回動可能に構成し、どのような角度のシャワーバー３に対してもシャワーフックＡを任意の位置に取り付けできるように構成してもよい。
【符号の説明】
【０１２４】
１  ユニットバス
２  シャワーヘッド
２ａ  ホースジョイント（シャワーヘッドの下端部側）
２ｂ  ホース
３  シャワーバー／手摺り
５  ヘッドホルダ部
６  バー取付固定部
７  フック本体
９  ヘッド側グリップ機構
１０  ホース保持機構
１１  ヒンジ
１２  クランプ部材（カバー部材）
１３  連結部材
１４  ロック機構
１５  バー側グリップ機構
１６  後壁部
１７  側壁部
１９  挿入孔
２５  掛止部
２５ａ  掛止面
２６  上面
２７  下面
２８  側面
３２  ロック受け部
４０  ロック操作部材
４１  操作つまみ部
４６  グリップ部材
４７  クリップレバー
４８  グリップ部材
４９  ばね部材
５０  ホースクリップ
Ａ  シャワーフック
Ｍ  入浴者などの使用者
Ｏ１  回動軸
Ｏ２  軸線
Ｏ３  軸線
Ｏ４  軸線
Ｔ１  横方向／幅方向
Ｔ２  前後方向
Ｔ３  上下方向
【図１】
2020033811.tif 000003
【図２】
2020033811.tif 000004
【図３】
2020033811.tif 000005
【図４】
2020033811.tif 000006
【図５】
2020033811.tif 000007
【図６】
2020033811.tif 000008
【図７】
2020033811.tif 000009
【図８】
2020033811.tif 000010
【図９】
2020033811.tif 000011
【図１０】
2020033811.tif 000012
【図１１】
2020033811.tif 000013
【図１２】
2020033811.tif 000014
【図１３】
2020033811.tif 000015
【図１４】
2020033811.tif 000016
【図１５】
2020033811.tif 000017
【図１６】
2020033811.tif 000018
【図１７】
2020033811.tif 000019
【図１８】
2020033811.tif 000020
【図１９】
2020033811.tif 000021
【図２０】
2020033811.tif 000022
【図２１】
2020033811.tif 000023
【図２２】
2020033811.tif 000024
【図２３】
2020033811.tif 000025